(57)【要約】【課題】部品点数を追加することなく、引出しを出し入れする際の負荷を軽減することのできる引出し用側板及びそれを備える引出しを提供する。【解決手段】引出し用側板１１は、上面及び左右側面が平板平滑で、下面が表面及び裏面に連なるＵ字状を長手方向に形成し、Ｕ字状を呈するＵ字部４１の一端に、Ｕ字部４１と略垂直に当接する平坦部４２を形成した下面Ｕ字状である。長手方向にＵ字状のＵ字部４１を形成したことから、Ｕ字部４１の頂部が摺動面として機能することでコの字状のものよりも摩擦の影響を軽減することができ、引出し１０を出し入れする際の負荷を軽減することができる。また、摩擦の軽減のためのスライドレールを外付けする必要もなくなる。【選択図】図３
2016182167.tif 000002
【特許請求の範囲】
【請求項１】
上面及び左右側面が平板平滑で、下面が表面及び裏面に連なるＵ字状を長手方向に形成し、
Ｕ字状を呈するＵ字部の一端に、当該Ｕ字部と略垂直に当接する平坦部を形成した下面Ｕ字状の引出し用側板。
【請求項２】
上面及び左右側面が平板平滑で、下面が表面及び裏面に連なるＵ字状を長手方向に形成し、
Ｕ字状を呈するＵ字部の下方一側に、長手方向に平行に連なる案内溝を形成した下面Ｕ字状の引出し用側板。
【請求項３】
離間した左右側板の間に先板及び底板が配置され、当該側板は、上面及び左右側面が平滑な平板であり、下面が表面及び裏面に連なるＵ字状を長手方向に呈する下面Ｕ字構造となっている、下面Ｕ字構造を左右側板に備える引出し。
【発明の詳細な説明】
【技術分野】
【０００１】
本発明は、家具の引出しを構成する前板、側板、先板（向板）及び底板のうち、側板を下面Ｕ字状とした引出し用側板及び下面Ｕ字構造を左右側板に備える引出しに関する。
【背景技術】
【０００２】
図９に示すように、従来の引出し３０は、左右側板３１，３２、先板３３、底板３４及び表板３６を対向配置して構成することで収納部（図中裏面方向）が形成されており、左右則側板の下面は角ばったコの字状を呈している。
【０００３】
このような下面コの字状の側板は、木材の加工に手間がいらないことから、製造期間やコスト等の製造負担が少ないというメリットがある。一方で、コの字状部分と摺動面との摩擦によって引出しを出し入れする際の負荷がかかることから、引出しの出し入れがし難いというデメリットがある。
【先行技術文献】
【特許文献】
【０００４】
【特許文献１】特開２０１４−１７１４９７号公報（図１）
【発明の概要】
【発明が解決しようとする課題】
【０００５】
上述したデメリットを解消する方法として、左右側板にスライドレールを取り付け、スライドレールを摺動させることで摩擦の影響を軽減するものがある。しかしながら、スライドレールを取り付けるための左右隙間空間又は上下隙間空間が必要となることから、必然的に収納部の空間領域が狭くなり、本来の収容機能を阻害するという問題がある。或いは、同じ収納領域を確保するためには、家具自体の内寸を大きくせざるを得ないという問題がある。
【０００６】
また、左右側板に外付けされたスライドレールは外れ易いとか、破損し易いといった問題や、地震等の振動によって容易にスライドし易く引出しが出やすいという問題がある。
【０００７】
本発明はこのような点に鑑みてなされたものであり、その目的は、部品点数を追加することなく、引出しを出し入れする際の負荷を軽減することのできる引出し用側板及びそれを備える引出しを提供することにある。
【課題を解決するための手段】
【０００８】
上記課題を解決するために、本発明は、以下のものを提供する。
【０００９】
（１）  上面及び左右側面が平板平滑で、下面が表面及び裏面に連なるＵ字状を長手方向に形成し、Ｕ字状を呈するＵ字部の一端に、当該Ｕ字部と略垂直に当接する平坦部を形成した下面Ｕ字状の引出し用側板。
【００１０】
（２）  上面及び左右側面が平板平滑で、下面が表面及び裏面に連なるＵ字状を長手方向に形成し、Ｕ字状を呈するＵ字部の下方一側に、長手方向に平行に連なる案内溝を形成した下面Ｕ字状の引出し用側板。
【００１１】
本発明に係る引出し用側板によれば、長手方向にＵ字状のＵ字部を形成したことから、Ｕ字部の頂部が摺動面として機能することでコの字状のものよりも摩擦の影響を軽減することができ、部品点数を追加することなく、引出しを出し入れする際の負荷を軽減することができる。また、スライドレールを外付けする必要がないことから、上述した問題を考慮する必要はなくなる。
【００１２】
（３）  離間した左右側板の間に先板及び底板が配置され、当該側板は、上面及び左右側面が平滑な平板であり、下面が表面及び裏面に連なるＵ字状を長手方向に呈する下面Ｕ字構造となっている、下面Ｕ字構造を左右側板に備える引出し。
【００１３】
本発明に係る引出しによれば、左右側板の下面が長手方向にＵ字状を呈することから、Ｕ字状の頂部が摺動面として機能することでコの字状のものよりも摩擦の影響を軽減することができ、部品点数を追加することなく、引出しを出し入れする際の負荷を軽減することができる。また、スライドレールを外付けする必要がないことから、上述した問題を考慮する必要はなくなる。
【発明の効果】
【００１４】
本発明の引出し用側板及び引出しは、引出しを出し入れする際の摺動面をＵ字状とすることで、部品点数を追加することなく、引出しを出し入れする際の負荷を軽減することができるという効果がある。
【図面の簡単な説明】
【００１５】
【図１】本発明の実施の形態に係る家具の概観を示す図。
【図２】本発明の実施の形態に係る引出しを示す平面斜視図。
【図３】本発明の実施の形態に係る引出しを示す底面斜視図。
【図４】本発明の実施の形態に係る引出しを示す底面斜視図。
【図５】本発明の実施の形態に係る引出し用側板を示す図。
【図６】本発明の実施の形態に係る引出し用側板を示す図。
【図７】本発明の実施の形態に係る引出し用側板の部分拡大図。
【図８】応用例を示す図。
【図９】従来の引出しを示す平面斜視図。
【発明を実施するための最良の形態】
【００１６】
以下、本発明の実施の形態について図面に基づいて説明する。
【００１７】
図１は、本発明の実施の形態に係る家具１の概観を示す図であり、左右一側面から見た状態を示している。家具１は、対向配置された一対の家具用側板３に背板４が配置され、引出し１０，２０が出し入れされる各段は地板５ａ，５ｂで仕切られている。引出し１０，２０は、対向する引出し用側板と地板５ａ，５ｂとを摺動することで家具１からの出し入れが行われる。なお、家具用側板３の下面底部は、設置の安定性や安全面からコの字状で形成されている。
【００１８】
図２は、本発明の実施の形態に係る引出し１０，２０の平面斜視図である。引出し１０，２０は、離間して対向配置された右側板１１，１２と左側板１２，２２との間に先板１３，２３及び底板１４，２４を配置し、さらに表板１６，２６を配置して、引出しの収納部を形成する。なお、図示しない前板１５，２５、右側板１１，１２、左側板１２，２２、先板１３，２３及び底板１４，２４で内箱を構成し、この内箱に表板１６，２６を取り付けることで引出し１０，２０を構成することもできる。
【００１９】
図３及び図４は、本発明の実施の形態に係る引出し１０，２０の底面斜視図である。また、図５は引出し１０の引出し用側板を示す図、図６は引出し２０の引出し用側板を示す図であり、それぞれ（ａ）は平面図、（ｂ）は正面図、（ｃ）は左側面図、（ｄ）は右側面図、（ｅ）は底面図、（ｆ）は背面図、（ｇ）は正面縦断面図である。
【００２０】
引出し１０，２０の収納部（図中裏面）を形成する先板１３，２３、底板１４，２４、前板１５，２５又は表板１６，２６は断面コの字状を呈する平滑な平板である。
【００２１】
図３及び図５に示すように、左右一対の引出し用側板１１，１２は、上面（平面）及び左右側面が平滑な平板であり、上面は表面（正面）及び裏面（背面）に連なる断面コの字状である。下面（底面）は、裏面（背面）に連なるＲ形状と表面（正面）に連なるＲ形状とで連続するＵ字状を呈するＵ字部４１が長手方向に形成されている。また、下面（底面）は、Ｕ字部４１と略垂直に当接する平坦部４２がＵ字部４１の下端（上面（平面）側）に形成され、下面（底面）は、Ｕ字部４１と平坦部４２とで段差を有している。
【００２２】
引出し１０においては、長手方向に延びる平坦部４２に底板１４を載置して固定することから、Ｕ字部４１と平坦部４２との段差は底板１４の厚み以上とする必要があり、これによりＵ字部４１の頂部を摺動面として機能させることができる。また、段差部分のうち、Ｕ字部４１と底板１４とが当接する当接面はＲの湾曲形状（図７（ａ）参照）よりも接地面積が大きくなる略平坦（図７（ｂ）参照）であることが好ましく、これにより引出しの取付けをより確実にすることができる。すなわち、底面Ｕ字状と底面平坦状とが略直角に当接して連なることで、引出し用側板１１，１２の平坦部４２は立上り部４３を有するＵ字部４１と連なっており、互いに直交する平坦部４２と立上り部４３とによって、断面コの字状の底板１４との接合をより確実にすることができる。
【００２３】
図４及び図６に示すように、左右一対の引出し用側板２１，２２は、上面（平面）及び左右側面が平滑な平板であり、上面は表面（正面）及び裏面（背面）に連なる断面コの字状である。下面（底面）は、裏面（背面）及び表面（正面）に連なるＵ字状を呈するＵ字部４１が長手方向に形成されている。また、Ｕ字部の下方一側に、長手方向に平行に連なる案内溝４４が形成されている。
【００２４】
引出し２０においては、長手方向に延びる案内溝４４に底板１４を嵌め込んで固定し、Ｕ字部４１の頂部を摺動面として機能させることができる。
【００２５】
なお、本発明の実施の形態においては、側板下面をＵ字状とした場合について説明したが、これに限らず、側板は断面コの字状であって、当該コの字状部分にＵ字状部材５０（図８参照）を長手方向一面に又は複数個離間して取り付けることによって側板の下面Ｕ字構造を形成することもできる。
【産業上の利用可能性】
【００２６】
本発明に係る引出し用側板及び引出しは、引出しを出し入れする際の負荷を軽減することができるものとして有用である。
【符号の説明】
【００２７】
１  家具
３  家具用側板
４  背板
５ａ，５ｂ  地板
１０，２０，３０  引出し
１１，２１，３１  右側板
１２，２２，３２  左側板
１３，２３，３３  先板（向板）
１４，２４，３４  底板
１６，２６，３６  表板
４１  Ｕ字部
４２  平坦部
４３  立上り部
４４  案内溝
【図１】
2016182167.tif 000003
【図２】
2016182167.tif 000004
【図３】
2016182167.tif 000005
【図４】
2016182167.tif 000006
【図５】
2016182167.tif 000007
【図６】
2016182167.tif 000008
【図７】
2016182167.tif 000009
【図８】
2016182167.tif 000010
【図９】
2016182167.tif 000011